(57)【要約】【課題】  畜舎用の気化冷却装置は、ベース上側に気化冷却装置を配備し、気化冷却装置に設けたダクトを、畜舎内に張り巡らした構造であり、一部で、エコクーラとして市販されている。冷却ユニットを備えた筐体の開口部にファンを設け、開口部に吹出ケーシングを設け、筐体の湿潤空気を、直接、吹出ケーシングに送る。湿潤空気の拡散に要する時間、及び／又は、空間に対する構造がなく、霧化粒子の均一化とか、生成に必要とする条件を備えていないものと考えられる。【解決手段】  周辺に冷却エレメントを備え、湿潤空気用の空間を備えた筐体と、冷却エレメントの上側の散水管と、空間の上側に備えたファンと、筐体の上側に設けたユニットと、ユニットの開口部に設けた吹出ケーシングと、で構成した気化冷却装置であり、湿潤空気の拡散に要する時間、及び／又は、拡散に要するエリアを確保できる。霧化粒子の均一化に有効な構造である。【選択図】      図１
2015212595.tif 000002
【特許請求の範囲】
【請求項１】
周辺に冷却エレメントを備え、かつ湿潤空気を導入できる空間を備えた筐体と、この冷却エレメントの上側に備えた散水管と、前記空間の上側に備えたファンと、前記筐体の上側に設けた、前記湿潤空気が通過するユニットと、このユニットの開口部に設けた吹出ケーシングと、で構成した建物用の気化冷却装置。
【請求項２】
前記空間の上側に設けた円筒状の放出口を備えた枠板に、前記ユニットの下側の吸込口を設置する構成とした請求項２に記載の建物用の気化冷却装置。
【請求項３】
前記枠板の円筒状の放出口に、前記ファンを配備するとともに、この放出口の周辺に前記散水管を囲繞し、前記冷却ユニットの上側から下側に向かって、この散水管の水、又は薬液と云う流体を流す構成とした請求項３に記載の建物用の気化冷却装置。
【請求項４】
前記筐体の下側に、前記流体用のタンクを配備する構成とした請求項１に記載の建物用の気化冷却装置。
【請求項５】
前記ユニットは、下側の吸込口を方形状とし、背面側の角隅部を傾斜屋根部とし、また、このユニットに、前記筐体の空間容積と、略同じ容積の空間流路を設ける構成とした請求項１に記載の建物用の気化冷却装置。
【発明の詳細な説明】
【技術分野】
【０００１】
本発明は、畜舎、工場、ハウス等の建物用の気化冷却装置に関する。
【背景技術】
【０００２】
従来、建物用の気化冷却装置の中で、例えば、畜舎用の気化冷却装置としては、ベースの上側（上部）に気化冷却装置を配備し、この気化冷却装置に設けたダクトを、畜舎内に張り巡らした構造であり、一部の畜舎に取付けられている。この畜舎用の気化冷却装置は、商品名、エコクーラとして市販されている。気化冷却装置は、冷却ユニットを備えた筐体の開口部にファンを設けるとともに、この開口部に円筒状の吹出ケーシングを設ける構造であって、筐体の湿潤空気を、直接、吹出ケーシングに送る構造である。従って、湿潤空気の拡散に要する時間、及び／又は、空間に対する構造がなく、霧化粒子の均一化とか、霧化粒子の生成に必要とする条件を備えていないものと考えられる。
【０００３】
また、工場の気化冷却装置としては、特開２００７−１１３８３１号公報に記載の気化冷却装置がある。屋根取付ベースに、冷却エレメントとファン、並びに散水パイプとを設けた構造であって、ベース内に外気を吸込み、冷却エレメントを通過することで、湿潤空気を生成し、ダクトを介して、工場内に導く構造である。ベースの上部に設けた冷却エレメントで生成した湿潤空気を、ベースの下部の連設された二つの送風ダクトを介して、工場内に導くものであり、前記市販の気化冷却装置と同様に、霧化粒子の均一化とか、霧化粒子の生成に必要とする条件を備えていないものと考えられる。
【０００４】
【特許文献１】特開２００７−１１３８３１号公報
【発明の概要】
【発明が解決しようとする課題】
【０００５】
前述の市販の気化冷却装置、並びに文献１は、本発明が望む、湿潤空気を、一時的に、対流させる構造ではないので、湿潤空気の拡散に要する時間、及び／又は、この拡散に要するエリア（空間確保）を備えていない。従って、湿潤空気（粒子）の均一化とか、湿潤空気（粒子）の生成に必要とする条件（手段）を備えていないものと考えられる。
【課題を解決するための手段】
【０００６】
上記に鑑み、本発明は、少なくとも、湿潤空気の拡散に要する時間、及び／又は、この拡散に要するエリアを確保するために、筐体の上側に、筐体の空間と、略同じとなる空間流路を備えたユニットを設けるとともに、このユニットに吹出ケーシングを設ける構造とする。これにより、少なくとも、湿潤空気（粒子）の均一化とか、湿潤空気（粒子）の生成に必要とする条件（手段）を備えた建物用の気化冷却装置とする。
【発明の効果】
【０００７】
請求項１の発明は、周辺に冷却エレメントを備え、かつ湿潤空気を導入できる空間を備えた筐体と、冷却エレメントの上側に備えた散水管と、空間の上側に備えたファンと、筐体の上側に設けた、湿潤空気が通過するユニットと、ユニットの開口部に設けた吹出ケーシングと、で構成した建物用の気化冷却装置であり、湿潤空気の拡散に要する時間、及び／又は、拡散に要するエリアを確保できること、また、湿潤空気（粒子）の均一化とか、湿潤空気（粒子）の生成に必要とする条件（手段）を備える構造となること、等の特徴がある。
【０００８】
請求項２の発明は、空間の上側に設けた円筒状の開口を備えた枠板に、ユニットの下側の吸込口を設置する構成とした建物用の気化冷却装置であり、請求項１の特徴を達成するに、最適な空間、ユニットの構造と、組合せを提供できる特徴がある。
【０００９】
請求項３の発明は、枠板の円筒状の放出口に、ファンを配備するとともに、放出口の周辺に散水管を囲繞し、冷却ユニットの上側から下側に向かって、散水管の水、又は薬液と云う流体を流す構成とした建物用の気化冷却装置であり、請求項２の特徴を達成するに、最適な筐体の構造と、内設した部材の配備構造を提供できる特徴がある。
【００１０】
請求項４の発明は、筐体の下側に、流体用のタンクを配備する構成とした建物用の気化冷却装置であり、請求項３の特徴を達成するに、最適なタンクの構造と、配備構造を提供できる特徴がある。
【００１１】
請求項５の発明は、ユニットは、下側の吸込口を方形状とし、背面側の角隅部を傾斜屋根部とし、また、ユニットに、筐体の空間容積と、略同じ容積の空間流路を設ける構成とした建物用の気化冷却装置であり、請求項１の特徴を達成するに、最適なユニットの構造と、スムースな湿潤空気の流れが確保できる空間流路を備えた気化冷却装置の構造とを提供できる特徴がある。
【図面の簡単な説明】
【００１２】
【図１】畜舎に気化冷却装置を取付けた状態の一例を示した一部欠截の斜視図
【図２】気化冷却装置の一例を示した斜視図
【図３】気化冷却装置の一例を示した俯瞰斜視図
【図４】気化冷却装置の一例であって、一部を断面視した側面図
【図５】図４の全体を示した一部欠截の平面図
【図６】図４の一部欠截の正面図
【図７】気化冷却装置の一例の要部（筐体とファン、タンク）を示した側面図
【図８】図７の平面図
【図９】図７の正面図
【図１０】他の気化冷却装置の一例を示した斜視図
【発明を実施するための形態】
【００１３】
図中１は、直方体、立方体、円筒形等でなる枠組構成された筐体であり、四面、又は周面等の周辺の開口１ａ、１ｂ………１ｎには、冷却エレメント２が備えられている。この冷却エレメント２は、一辺（一枚）、又は数辺（数枚）でなる紙製、布製等でなり、かつ空気透過性、及び水等の流体で湿潤される特性を有する、例えば、多孔質のセルローズ系のエレメント２ａ、２ｂ………２ｎ（以下、２ａとする）を備える。また、上側の開口１ａ１には、円形状の放出口３ａを備えた枠板３を設ける。この枠板３には、ファン６の支持杆６ｂを設けたフランジ６ａ（ファン枠）が設けられている。尚、冷却エレメント２と枠板３、並びに底面１０１とで囲繞されたスペースが、筐体１の空間１００となる。筐体１の底面１０１の下側には、タンク５を設ける。前記フランジ６ａは、放出口３ａに下向きに設けられているが、ファン６の風を、後述するユニットの方向に向かって、かつユニットの上方に送るように構成されている。また、フランジ６ａは、ファン６の風圧に対応可能とする。
【００１４】
枠板３の放出口３ａ（筐体１の空間１００の放出口）に、ファン６のフランジ６ａを設けるとともに、ファン６を、放出口３ａの面と略面一に設ける。そして、このファン６で、外気Ａを吸込むが、この吸込む際に、後述する散水管より放出された流体Ｂで、各エレメント２ａ（吸水性多孔質でなるセルローズ紙パッド）が湿潤されていることから、適度な湿りを保持した、湿潤空気Ｃが成されるとともに、この湿潤空気Ｃは、冷却エレメント２と枠板３、並びに底面１０１とで形成される空間１００（筐体１の空間１００）に導かれる。この空間１００は、適度のスペースを備えていることから、必要とする湿潤空気Ｃの貯留領域となる。図中９はモータである。
【００１５】
散水管７は、各エレメント２ａの上側で、枠板３との間に付設されており、方形状となっている。この散水管７には、多数の細孔７ａが下向きに形成されている。また、散水管７はホース８を介してタンク５のポンプ１０に繋がっている。従って、タンク５の流体Ｂは、ホース８を経由し、散水管７の細孔７ａより、各エレメント２ａに供給される。この流体Ｂの供給で、各エレメント２ａが湿潤される。
【００１６】
図中１１はフード形のユニットであり、ユニット１１は、筐体１より、僅かに小さい横断端面でなるとともに、この筐体１の空間１００の容積と、略同じ容積でなる空間流路１１ｂを備えている。図４〜図６に示した、一例では、このユニット１１の正面側１１−１と裏面側１１−２を、筐体１の長手方向に設けるとともに、両側面側１１−３、１１−４を短手方向に設ける。図４〜図６は一例であり、図１と図２に示した、他のパターンもあり得る。このユニット１１は、下側１１−５に吸込口１１ａを有してあり、この吸込口１１ａは、枠板３の放出口３ａに連設される。ユニット１１は、空間流路１１ｂを備えた略方形状を備えており、裏面側１１−２（天井側）の角隅部に傾斜屋根部１１００を備えている。この傾斜屋根部１１００は、湿潤空気Ｃのスムースな流れを確保することにある。また、このユニット１１は、冷却エレメント２で生成された湿潤空気Ｃを貯留し、かつ畜舎内に必要とする湿潤空気Ｃを供給できる空間流路１１ｂを構成する。これにより、冷却エレメント２で生成された湿潤空気Ｃを、ユニット１１を経由して、ダクト１２から、畜舎内に送り、かつ拡散できる。尚、図１０の如く、ユニット１１、及び／又は、ユニット２ａの辺数は、気化冷却装置の小容積、及びコンパクト形状にすること、並びに設置の汎用性等を意図し、構造の変更と、部品の省略・小型化すること等も可能である。同様な趣旨で、例えば、ユニット１１とノズル１３（後述する）との一体構造もあり得る。
【００１７】
このユニット１１の正面側１１−１には、収れん筒部を備えた筒状のノズル１３（吹出ケーシング）を設け、このノズル１３の吹出口１３ａの収れん筒部にダクト１２を繋ぐ構造である。
【００１８】
図中２０は気化冷却装置を支持するフレームで、このフレーム２０を利用して、気化冷却装置を、例えば、畜舎外で、かつ屋根下側位置にセットする。
【００１９】
以下、本発明の気化冷却に関して説明する。ファン６を運転するとともに、散水管７の細孔７ａより、流体Ｂを各エレメント２ａに流し、湿潤する。ファン６の運転で、導入される外気Ａは、湿潤した各エレメント２ａの多孔質の隙間を通り、筐体１の空間１００に到った過程で、湿潤空気Ｃとなる。
【００２０】
この湿潤空気Ｃは、例えば、ファン６のフランジ６ａに誘導された後、枠板３の放出口３ａより、ユニット１１の吸込口１１ａを通り、ユニット１１の空間流路１１ｂに到る。その後は、ノズル１３を通り、ダクト１２から、畜舎内に到り、このダクト１２の図示しない細孔より、畜舎内に、放出されることで、気化冷却が図れる構造である。家畜の飼育、並びに成育と、生乳増産等に適した温湿度を確保できる。
【符号の説明】
【００２１】
１  筐体
１ａ、１ｂ…………１ｎ  開口
１ａ１  開口
１００  空間
１０１  底面
２  冷却エレメント
２ａ、２ｂ…………２ｎ  エレメント
３  枠板
３ａ  放出口
５  タンク
６  ファン
６ａ  フランジ
６ｂ  支持杆
７  散水管
７ａ  細孔
８  ホース
９  モータ
１０  ポンプ
１１  ユニット
１１ａ  吸込口
１１ｂ  空間流路
１１−１  正面側
１１−２  裏面側
１１−３  側面側
１１−４  側面側
１１−５  下側
１１００  傾斜屋根部
１２  ダクト
１３  ノズル
１３ａ  吹出口
２０  フレーム
Ａ  外気
Ｂ  流体
Ｃ  湿潤空気
【図１】
2015212595.tif 000003
【図２】
2015212595.tif 000004
【図３】
2015212595.tif 000005
【図４】
2015212595.tif 000006
【図５】
2015212595.tif 000007
【図６】
2015212595.tif 000008
【図７】
2015212595.tif 000009
【図８】
2015212595.tif 000010
【図９】
2015212595.tif 000011
【図１０】
2015212595.tif 000012